(57)【特許請求の範囲】
【請求項１】
上横枠と下横枠と左右の縦枠とを有する枠体、閉鎖の姿勢で前記枠体内側の上部に備えられる上障子、及び前記閉鎖の姿勢で前記枠体の内側の下部に配置され、前記枠体内側を上下に移動自在に設けられる可動障子を備える上げ下げ窓であって、
前記可動障子は閉鎖の姿勢で前記上障子と同一平面内に並べられて配置され、
前記縦枠は、前記可動障子を案内するガイド溝と、該ガイド溝より前記上障子側に前記ガイド溝と平行に設けられる内倒し溝と、を具備し、
前記内倒し溝に沿って摺動可能に配置される摺動子と、一端が前記可動障子に回動可能に取り付けられ、他端が前記摺動子に回動可能に取り付けられるアームと、を備える内倒し部材を有する、上げ下げ窓。
【請求項２】
前記可動障子の縦框には、見込み方向で、前記可動障子の閉鎖の姿勢で前記内倒し溝が配置された方向に延在する片を具備することを特徴とする請求項１に記載の上げ下げ窓。
【発明の詳細な説明】
【技術分野】
【０００１】
本発明は、住宅や公共施設等の建物開口部に備えられる上げ下げ窓に関する。
【背景技術】
【０００２】
近年における建築物の多様化により、該建物に用いられる窓、扉等の開口部装置も多種多様なものが提案されている。このような開口部装置の中には、障子を上げ下げして移動することにより、開口部の開放及び閉鎖を可能とするものがある。
【０００３】
従来、このような障子を有する開口部装置では、見込み方向の位置をずらして設けられた内障子と外障子とを備えており、これら内障子と外障子とは、其の開放及び閉鎖の姿勢にかかわらず、常に見込み方向にずれた状態であった。
【０００４】
このような開口部装置では、開口部装置全体の見込み方向が厚くなる傾向にあり、外観上の観点からも凹凸が大きくなる問題があった。そのため、例えば特許文献１には、閉鎖の姿勢で同一面内に並べて配置される２枚の障子を備えた上げ下げ窓が開示されている。特許文献１に記載の上げ下げ窓は、枠体内側の下部に設けられる固定障子（嵌め殺し部）と、閉鎖の姿勢で枠体の枠内の上部に設けられる可動障子（上げ下げ障子）とを備えている。そして、閉鎖の姿勢で固定障子と可動障子とが同一面内に並べられて配置される。
【０００５】
ところで、このような上げ下げ窓ではその可動障子において、その下框を中心にその上部が室内側に大きく傾けることができる、いわゆる内倒しが可能とされている。これにより、使用者は当該可動障子の室外側面の清掃をすることができる。ここで、内倒し時には、倒される障子を支持する必要があるので、通常アームが備えられている。当該アームは、その一端が障子に回動自在に取り付けられ、他端は縦枠に該縦枠の長手方向に摺動自在、かつ回動可能に取り付けられている。従って、当該アームの他端を摺動する摺動部材、及び縦枠にはこれが摺動する内倒し用レール溝が形成されている。
【０００６】
特許文献２には、内倒しのための上記内倒し用レール溝が目立たずに外観を良好とする上げ下げ窓（建具）が開示されている。
【先行技術文献】
【特許文献】
【０００７】
【特許文献１】特開平８−２９６３６２号公報
【特許文献２】特許第４０３１４８６号公報
【発明の概要】
【発明が解決しようとする課題】
【０００８】
しかしながら特許文献２に記載の上げ下げ窓では、目立たなくすることはできるが、依然として室内視で内倒し用レール溝が見える。また、障子の閉鎖時に障子が面一となる上げ下げ窓としたときには、当該閉鎖のときには枠の内面が室内視で大きく表れるので、さらに内倒し用レール溝が目立ってしまう。
一方、特許文献１には、閉鎖時に障子が面一となる構造は開示されているが、内倒し用レール溝の上記したような問題点には言及していない。
【０００９】
そこで本発明は、上記問題に鑑み、閉鎖時に障子が面一となる上げ下げ窓であっても、外観の良好な上げ下げ窓を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、上横枠（１１）と下横枠（１２）と左右の縦枠（１３、１４）とを有する枠体（１０）、閉鎖の姿勢で枠体内側の上部に備えられる上障子（２０）、及び閉鎖の姿勢で枠体内側の下部に配置され、枠体内側を上下に移動自在に設けられる可動障子（３０）を備える上げ下げ窓（１００）であって、可動障子は閉鎖の姿勢で上障子と同一平面内に並べられて配置され、縦枠は、可動障子を案内するガイド溝（４０）と、該ガイド溝より上障子側にガイド溝と平行に設けられる内倒し溝（９１）と、を具備し、内倒し溝に沿って摺動可能に配置される摺動子（５３）と、一端が可動障子に回動可能に取り付けられ、他端が摺動子に回動可能に取り付けられるアーム（５１）と、を備える内倒し部材（５０）を有する、上げ下げ窓である。
【００１２】
請求項２に記載の発明は、請求項１に記載の上げ下げ窓（１００）において、可動障子（３０）の縦框（３３、３４）には、見込み方向で、可動障子の閉鎖の姿勢で内倒し溝（９１）が配置された方向に延在する片（３３ａ、３４ａ）を具備することを特徴とする。
【発明の効果】
【００１３】
本発明によれば、閉鎖のときに上下に配置される複数の障子が面一である上げ下げ窓においても、内倒しのためのレールや部材が室内視で目立たないので、外観の良好な上げ下げ窓を提供することが可能となる。
【図面の簡単な説明】
【００１４】
【図１】１つの実施形態に係る上げ下げ窓を、室内側から正面視したときの概略図である。
【図２】図１（ｂ）に示した上げ下げ窓の枠体を分解して概略的に示した図である。
【図３】図１のＩＩＩ−ＩＩＩ断面を概略的に示した図である。
【図４】図１のＩＶ−ＩＶ断面を概略的に示した図である。
【図５】図１のＶ−Ｖ断面を概略的に示した図である。
【図６】内倒し部材を説明する図である。
【図７】内倒し部材を説明する他の図である。
【図８】図１のＶＩＩＩ−ＶＩＩＩ矢視断面図のうち一部を拡大した図である。
【図９】ラッチ・錠装置の斜視図である。
【図１０】ラッチ・錠装置の平面図、及び側面図である。
【図１１】可動障子の閉鎖の姿勢における水平断面のうち、縦枠及び内倒し部材の周辺に注目した図である。
【図１２】図３と同じ視点で可動障子を室内側に倒した姿勢を概略的に示す図である。
【図１３】図１２の姿勢おける可動障子の上面及びその配置を概略的に示す図である。
【図１４】可動障子の内倒しの動作について説明する図である。
【発明を実施するための形態】
【００１５】
本発明の上記した作用及び利得は、次に説明する発明を実施するための形態から明らかにされる。以下本発明を図面に示す実施形態に基づき説明する。ただし、本発明はこれら実施形態に限定されるものではない。
【００１６】
図１は、建物の開口部に取り付けられている１つの実施形態にかかる上げ下げ窓１００を、室内側から正面視したときの概略図である。図１（ａ）は閉鎖の姿勢にある上げ下げ窓１００を示しており、図１（ｂ）は下障子３０を少し開放した姿勢としたときの上げ下げ窓１００を示している。
図２は、図１（ｂ）に示した上げ下げ窓１００の枠体１０を分解して概略的に示した正面図である。
図３は、図１（ａ）に示したＩＩＩ−ＩＩＩ断面を概略的に示した図である。
図４は、図１（ｂ）に示したＩＶ−ＩＶ断面を概略的に示した図である。
図５は、図１（ｂ）に示したＶ−Ｖ断面を概略的に示した図です。
ここで図３、図４では、紙面左が室外側、紙面右が室内側である。また、図５では紙面上が室外側、紙面下が室内側である。以下図１〜図５及び適宜示す図を参照しつつ開口部装置１００について説明する。
【００１７】
以下において、「見付方向」とは全体として平板状である上げ下げ窓の該平板状の平面に沿った方向を意味し、上げ下げ窓が建物に取り付けられた姿勢では、建物開口部の開口面に沿った方向を意味する。また、「見付方向内側」とは、見付方向のうち、上げ下げ窓の中央方向を意味する。従って「見付方向外側」とは見付方向のうち、開口部から離れる方向を意味する。さらに、「見込み方向」とは全体として平板状である上げ下げ窓の該平板状の厚さ方向を意味し、上げ下げ窓が建物に取り付けられた姿勢では、建物の室内外方向を示す。また障子を説明する時には、障子について同様の趣旨で「見付方向」及び「見込み方向」の用語を用いる。
【００１８】
図１に示すように、上げ下げ窓１００は、枠体１０、上障子としての固定障子２０、可動障子３０、内倒し部材５０、５０（図５参照）、バランサー６０、６０（図２参照）、及びラッチ・錠装置７０、７０とを備えている。
【００１９】
枠体１０は、上横枠１１、下横枠１２、及び左右の縦枠１３、１４を備えており、これらが枠状に組み合わされて形成されている。
上横枠１１は、図３、図４に表れる断面を有して延在する上部に水平に配置される長尺の部材である。上横枠１１は、その断面において、後述するように上障子２０の上框を固定するための片で３方を囲まれる凹状部１１ａを具備している。
下横枠１２は、図３、図４に表れる断面を有して延在する下部に水平に配置される長尺の部材である。下横枠１２は、その断面において、後述するように下障子３０の下框を受け入れるための片で３方を囲まれる凹状部１２ａを具備している。
【００２０】
縦枠１３、１４は、図５に表れる断面を有して延在する垂直に配置される長尺の部材である。縦枠１３、１４は、図５に表れる断面において見込み方向に延在する片１３ａ、１４ａを具備し、その見込み方向両端からは見付方向に片１３ｂ、１３ｃ、片１４ｂ、１４ｃを備えている。また、片１３ｂと片１３ｃとの間、片１４ｂと片１４ｃとの間には、見込み方向室外側から順に、アングル部材１３ｄ、１４ｄ、内倒し溝９１を形成する内倒し用レール９０、９０、及びガイド溝４０、４０が配置されている。
【００２１】
アングル部材１３ｄ、１４ｄは、図５からわかるように、断面略Ｌ字状の部材であり、その一方の片が片１３ａ、１４ａに沿うように他の部材を介して該片１３ａ、１４ａに固定される。他方の片は、当該一方の片の見込み方向室内側の端部から見付方向内側に延在している。
内倒し用レール９０は、内倒し溝９１を形成する部材で、後述する内倒し部材５０の摺動子５３が摺動する溝である。図５からわかるように、内倒し用レール９０は、断面略コ字状を有し、長手方向は上下に延びている（図３、図４参照）。
【００２２】
ガイド溝４０は後述するように、可動障子３０をガイドする溝であり、可動障子３０に具備される支持部材３８（図２参照）がその内側を摺動するように形成されている。従ってその断面はコ字状に形成されている。ここで、当該コ字状のうちの開口部分には当該開口部を狭めるように対向する片４０ａ、４０ａ及び、見付方向にさらに延びるように設けられる片４０ｂ、４０ｂが備えられている。
【００２３】
一方、ガイド溝４０に長手方向の態様を図３及び図４に表した。図３、図４では、縦枠１４に設けられたガイド溝４０について示しており、これに基づいて説明する。縦枠１３に設けられたガイド溝４０についても同様である。ガイド溝４０は、図３、図４に破線で示すように、直線部４１及び傾斜部４２を備えている。直線部４１は、固定障子２０より見込み方向内側に配置され、縦枠１４の長手方向に延在している。傾斜部４２は、直線部４１の下横枠１２側の端部に連通するとともに、固定障子２０が備えられる側（見込み方向室外側）で下枠１２側に向かって傾斜するように延在している。
【００２４】
傾斜部４２の垂直面に対する傾斜角θ（図３参照）は特に限定されるものではないが、４５度以上６５度以下の範囲であることが好ましい。傾斜角θが大き過ぎる場合は、可動障子３０を開ける際に要する力が大きくなる。
【００２５】
固定障子２０は、上障子として機能し、上框２１、下框２２、縦框２３、２４を方形に組み、その区画内にパネル（例えば、ガラスパネル）２５を装着して構成されている。本実施形態例では、パネル２５として、図３等に示すように、２枚の板ガラスの間にスペーサーを挟持した複層ガラスパネルを例示している。ただし、これに限定されるものではなく、単板ガラスでもよい。本実施形態では、断熱性を向上させるという観点からは、複層ガラスパネルの方が好ましい。
【００２６】
パネル２５は、その四方端部がグレージングチャンネルを介して上框２１、下框２２、縦框２３、２４に差し込まれるようにして固定される。そして、固定障子は２０は、縦框２３、２４が固定部材２６、２６により縦枠１３、１４のアングル部材１３ｄ、１４ｄに固定される。これにより、固定障子２０は、枠体１０内側の上部に位置が固定されて取り付けられる。
【００２７】
可動障子３０は、上框３１、下框３２、縦框３３、３４を方形に組み、その区画内にパネル（例えば、ガラスパネル）３５を装着して構成されている。本実施形態例では、パネル３５として、図３等に示すように、２枚の板ガラスの間にスペーサーを挟持した複層ガラスパネルを例示している。ただし、これに限定されるものではなく、単板ガラスでもよい。本実施形態では、断熱性を向上させるという観点からは、複層ガラスパネルの方が好ましい。
【００２８】
パネル３５は、その四方端部がグレージングチャンネルを介して上框３１、下框３２、縦框３３、３４に差し込まれるようにして固定される。ここで、上框３１には、図３等からわかるように、その室内側には引手部３６が備えられている。これにより、後述するように引手部３６に手を掛けて操作することで、可動障子３０の開閉を容易に行うことができる。また、図３によく表れているように、上框３１（引手部３６）は、閉鎖姿勢で室内側から見て固定障子２０の下框２２を覆う形態になっている。かかる形態とすることによって、外観をよくするとともに、水密性、断熱性、及び防犯性に優れた構造となる。すなわち、閉鎖姿勢で固定障子２０と可動障子３０との間を上框３１（引手部３６）によって覆うことで、水や熱の出入りを防いで水密性及び断熱性を向上させる。また、バールなどを差し込み難くすることができるので防犯性を高めることも可能である。
また、上框３１の上面には、図３からわかるように、その長手方向に延在し、断面略Ｌ字状の錠部材ガイド３１ａが設けられている。錠部材ガイド３１ａは後述するラッチ・錠部材７０のうち摺動棒７６（図８〜図１０参照）に係合し、これをガイドする片である。錠部材ガイド３１ａの断面Ｌ字状の一片が框３１の上面から見付方向に立設し、その先端から他方の片が見込み方向室内側に延在する。
【００２９】
さらに、可動障子３０の下框３２の左右両端部には、図２からわかるように、見付方向外側に突出するように支持部材３８、３８が取り付けられている。支持部材３８は、ガイド溝４０内に挿入され溝内を移動する支持部３８ａを有する。また、支持部３８ａには、環状溝３８ｂが設けられており、環状溝３８ｂには、縦枠１３、１４の上部それぞれに内設されたバランサー６０、６０から引き出されたワイヤー６１、６１の一端が係止されている（図２参照）。
従って、可動障子３０はバランサー６０によって吊られた状態にある。バランサー６０は、通常の上げ下げ窓に用いられるバランサーでよく、例えば渦巻きバネが内設されており、可動障子３０の質量と平衡を保ち、可動障子３０を小さな力で上下移動させることを可能にするとともに、任意の高さで停止させることができるように構成されている。本実施形態では縦枠１３、１４にバランサー６０、６０を設けた例を示したが、これに限定されることはなく、上枠１１に配置されてもよい。
【００３０】
また、図５からわかるように、縦框３３、３４には室内側角部から室内側に延在する片３３ａ、３４ａを備えている。
【００３１】
次に内倒し部材５０について説明する。図６、図７に説明するための図を示した。図５に加え、図６、図７を参照しつつ内倒し部材について説明する。内倒し部材５０は、アーム５１、障子側軸部材５２、及び摺動子５３を備えている。
アーム５１は、一方向に長い板状の部材でありその一端には軸５１ａが設けられている。他端側は障子側軸部材５２に回動可能に取り付けられている。
障子側軸部材５２は、可動障子３０の框３３（框３４）に取り付けられ、アーム５１と障子とを回動可能に連結する部材である。
摺動子５３は、図７からわかるように、全体として略直方体の部材で、基体５３ａを有している。基体５３ａの対向する１組の側面には溝５３ｂ、５３ｂが設けられている。また、基体５３ａの一つの面にはアーム５１の軸５１ａを受け入れて回動可能に連結する軸受部５３ｃを備えている。
【００３２】
このように構成された内倒し部材５０、５０は、図５に表れているように、その一端側は可動障子３０の框３３、３４のそれぞれに配置され、他端側は摺動子５３、５３が、縦枠１３、１４の内倒し用レール９０に摺動可能に配置される。
【００３３】
次にラッチ・錠装置７０、７０について説明する。図８〜図１０に説明するための図を示した。図８は、図１にＶＩＩＩ−ＶＩＩＩで示した矢視断面図のうち、上框３１の上面で縦枠１３側に配置されたラッチ・錠装置７０を示した図である。図８では、紙面上が室外側、紙面下が室内側を表している。図９は、ラッチ・錠装置７０の斜視図である。図１０は、ラッチ・錠装置７０の平面図（図１０（ａ））、及び図１０（ａ）に矢印Ｘの方向から見た図（左側面図、図１０（ｂ））である。
【００３４】
ラッチ・錠装置７０は、基体７１、ラッチ部材７２、錠装置７５、を備えている。
基体７１は、当該ラッチ・錠装置７０の基礎となる部材である。すなわち、基体７１にラッチ部材７２及び錠装置７５が配置されることによりラッチ・錠装置７０が形成される。ここで基体７１は、略板状である板状部７１ａ及び後述する錠操作部材７７が摺動可能に取り付けられる操作部材取り付け部７１ｂを有している。
【００３５】
ラッチ部材７２は、一方向を長手方向とする板状の部材であり、その長手方向一端側が他に比べて大きく形成され、その先端の端面は多面に形成されている。具体的には、長手方向に直交する面７２ａ、該面７２ａの両端に配置され、長手方向他端側に傾斜する面７２ｂ、７２ｃ、該面７２ｂ、７２ｃのそれぞれの端部から、さらに長手方向に直交する方向に延在する面７２ｄ、７２ｅ、及び面７２ｄ、７２ｅの端部から略直交するように長手方向に延在する面７２ｆ、７２ｇである。このような構成により、いわゆる両方向ラッチを形成することができ、後述するように障子が面一の姿勢で閉鎖する上げ下げ窓において適切に可動障子の移動をさせることが可能となる。
さらにラッチ部材７２には、該ラッチ部材７２を面７２ｃに直交する方向（長手方向）に付勢する弾性部材７３を備えている。
【００３６】
錠装置７５は、摺動棒７６、錠操作部材７７、及び連結部材７８を備えている。摺動棒７６は、棒状の部材であり、図１０（ｂ）からわかるように断面が略コ字状に形成されている。錠操作部材７７は操作者の操作に供される部材で、棒状の連結部材７８を介して摺動棒７６に連結している。
【００３７】
以上のような各部材は次のように組み合わせられてラッチ・錠装置７０が構成される。すなわち、基体７１の板状部７１ａの一方の面側にラッチ部材７２が配置される。その際には、図８〜図１０に表れているように、面７２ａ〜面７２ｇが配置された端部が基体７１から突出して配設される。また、弾性部材７３の一端が基体７１に他端がラッチ部材７２に固定され、ラッチ部材の面７２ａ〜面７２ｇが基体７１に対してその突出量を変えることができるように付勢される。
【００３８】
一方、錠装置７５については、その摺動棒７６が基体７１の板状部７１ａの他方の面側に配置される。その際には摺動棒７６の長手方向は上記したラッチ部材７２の突出方向と同じとし、ラッチ部材７２の長手方向軸線と摺動棒７６の軸線とは平面視（図１０（ａ）の視点）で一致することが好ましい。また、図１０（ｂ）からわかるように、摺動棒７６の断面コ字状である片の一つの片が板状部７１ａに係合しつつ摺動可能とされている。
錠操作部材７７は、操作部材取り付け部７１ｂに摺動可能に取り付けられる。錠操作部材７７の摺動方向は、摺動棒７６の長手方向と同じ方向である。そして連結部材７８は、摺動棒７６と錠操作部材７７とを連結する。
【００３９】
これによりラッチ部材７２は、所定の力を受けて、これに応じて該ラッチ部材の面７２ａ〜面７２ｇが基体７１に対してその突出量を変えるように移動することができる。一方、錠装置７５では、錠操作部材７７を摺動させることにより摺動棒をその長手方向に移動させることが可能となる。
【００４０】
以上のように構成されたラッチ・錠装置７０は、可動障子３０の上框３１の上面のうち、その両端のそれぞれに配置される。このとき、図８からわかるように、ラッチ・錠装置７０のラッチ部材７２の面７２ａ〜面７２ｇが縦枠１３、１４に面するように取り付けられる。また、図３からわかるように、摺動棒７６の断面コ字状のうちの１つの片が、上框３１の錠部材ガイド３１ａに係合するように配置される。これにより錠としての強度を向上させることができ、その信頼性も向上させることが可能となる。これにより例えば基体７１を樹脂材料により形成しても錠装置として十分な強度を有するものとなる。
【００４１】
この錠装置が障子の左右両端側に配置される。また、その操作部材である錠操作部材も框からの突出量を小さく抑えることが可能となる。従って、外観に与える影響を小さく抑えることができる。
また、ラッチと錠装置とを１つの部材で形成することができる。従って、いわゆるクレセント錠とラッチとを別に設ける必要がなく、部品点数の削減を図ることができる。
【００４２】
次に以上で説明した上げ下げ窓１００の各姿勢及び、その動作について説明する。ここでは、最初に上げ下げ窓１００が閉鎖された姿勢について説明し、その後、上げ下げ窓１００が閉鎖され、施錠された姿勢から、解錠及び可動障子３０の開放がされる場面を例に説明する。さらに可動障子３０を内倒しする動作について説明する。
【００４３】
図１１には、可動装置３０の閉鎖の姿勢における可動障子３０、及び内倒し部材５０及び縦枠１３との関係を示す水平断面図を示した。ここでは、縦枠１３側についてのみ説明するが、縦枠１４側も同様である。
上記したように、可動障子３０の閉鎖の姿勢では、該可動障子３０は固定障子２０の下方に面一に並べられて配置される。従って可動障子３０は枠体１０内の室外側（図１１の上方）に寄せられて配置される。本実施形態の上げ下げ窓１００では、内倒し用レール９０がレール溝４０より室外側に配置されているので、従って内倒し用レール９０や摺動子５３を目立たなくすることができる。さらには、縦框３３（縦框３４も同様）から室内側に延在する片３３ａ（３４ａ）により、内倒し用レール９０及び摺動子５３を隠蔽することができる。これによりさらに外観の良好な開口部装置とすることができる。
【００４４】
次に、可動障子を開放させる動作について説明する。図１２、図１３は当該場面の途中の姿勢を示す図で、図１２は図３と同じ視点、図１３は図８と同じ視点による図である。
【００４５】
可動障子３０は、閉鎖姿勢では、図３に示すように、枠体１０内側の固定障子２０の下方において固定障子２０と同一面内に上下に並べられて配置されている。このときには、ラッチ・錠装置７０、７０では、図８に示したように、ラッチ部材７２の面７２ｅが内倒し用レール９０の片に接するように配置される。このときラッチ部材７２はここに備えられる弾性部材７３（図８参照）により内倒し用レール９０の片を押圧している。一方、錠装置７５は、錠操作部材７７に摺動棒７６が縦枠１３、１４に向けて大きく突出され、その先端がアングル部材１３ｄに係合している。これにより可動障子３０は移動させることができず、閉鎖及び施錠状態とされている。
【００４６】
このような姿勢から操作者は初めに、錠操作部材７７を図８の紙面右に移動させる。これにより摺動棒７６がアングル部材１３ｄから離脱し、解錠される。そして操作者は可動障子３０の上框３１に設けられた引手部３６を室内側に引き倒し、図１２、図１３に示した姿勢とする。これにより可動障子３０の上端部がガイド溝４０側に配置される。かかる引き倒しにおいて、ラッチ・錠装置７０では、ラッチ部材７２は、上記した位置から、弾性部材７３によるラッチとしての作用により、内倒し用レール９０や片４０ｂを越えて図１２に示した姿勢となる。すなわち、ラッチ部材７２の先端がガイド溝４０内に配置される。ここで、ガイド溝４０には、片４０ａ、４０ａ、４０ｂ、４０ｂが設けられており、ラッチ部材７２の面７２ｄ〜７２ｇが当該片に接触し、これを押圧する。そしてガイド溝４０の片４０ｂがラッチ部材７２の片７２ｇに接触することにより、可動障子３０がこれ以上室内側に倒れ難いようにストッパーとして作用する。
【００４７】
あとは引手部３６に手を掛けて可動障子３０を引き上げることで、支持部３８やラッチ部材７２がガイド溝４０内を移動し、可動障子３０を図４、図５に示した姿勢に開放させることができる。
【００４８】
可動障子３０を閉める際には、上記手順を遡るように操作すればよい。
【００４９】
次に、図１２、図１３に示した姿勢から可動障子３０を内倒しする動作について説明する。図１４に説明のための図を示した。図１４（ａ）は図１３と同じ視点による図、図１４（ｂ）は上げ下げ窓１００を側面側から見た模式図である。
可動障子３０を内倒しするには、図１４（ａ）のように、ラッチ部材７２をさらに引っ込ませるように移動させ、縦枠１３（縦枠１４側についても同様）に接触しない姿勢とする。かかる姿勢から可動障子３０を図１４（ａ）に直線矢印で示した方向に移動すると内倒しをすることが可能となる。
可動障子３０の内倒しがされると、図１４（ｂ）のように可動障子３０が室内側に大きく傾けられる。これにより使用者は可動障子３０の室外側面を清掃することが可能となる。その際には内倒し部材５０が可動障子３０を保持する。
【００５０】
以上で示した上げ下げ窓では、上障子を枠体上部に固定して設置する固定障子としたが、これに限定されることはなく、上障子も枠内を上下動可能に移動するものであってもよい。このとき、上障子が独立して移動可能に構成されていてもよく、上記説明した可動障子３０に連動して移動できるように構成してもよい。
また、上記実施形態では上障子及び可動障子を建物に固定される枠体に具備するものとしたが、これに限定されるものではない。例えば、上障子及び可動障子が備えられる枠体が、さらに建物に固定された他の枠体にスイング式に開閉可能なものを挙げることができる。
【００５１】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う上げ下げ窓も本発明の技術的範囲に包含されるものとして理解されなければならない。
【符号の説明】
【００５２】
１０  枠体
１１  上枠
１２  下枠
１３  左縦枠
１４  右縦枠
２０  固定障子（上障子）
２１  上框
２２  下框
２３  左縦框
２４  右縦框
２５  パネル
３０  可動障子
３１  上框
３２  下框
３３  左縦框
３４  右縦框
３５  パネル
３６  引手部
３８  支持部材
４０  ガイド溝
４１  直線部
４２  傾斜部
５０  内倒し部材
５１  アーム
５２  障子側軸部材
５３  摺動子
６０  バランサー
６１  ワイヤー
７０  ラッチ・錠装置
７２  ラッチ部材
９０  内倒し用レール
９１  内倒し溝
１００  上げ下げ窓
【図１】
0005384433.tif 000002
【図２】
0005384433.tif 000003
【図３】
0005384433.tif 000004
【図４】
0005384433.tif 000005
【図５】
0005384433.tif 000006
【図６】
0005384433.tif 000007
【図７】
0005384433.tif 000008
【図８】
0005384433.tif 000009
【図９】
0005384433.tif 000010
【図１０】
0005384433.tif 000011
【図１１】
0005384433.tif 000012
【図１２】
0005384433.tif 000013
【図１３】
0005384433.tif 000014
【図１４】
0005384433.tif 000015